(57)【特許請求の範囲】
【請求項１】
印刷媒体が巻回された筒状のロールを、前記ロールの軸方向の一方側から支持する第１支持部と、前記ロールを前記軸方向の他方側から支持する第２支持部と、前記第１支持部と前記第２支持部との間隔を調節する調節機構とを有する印刷装置において、
前記調節機構は、
前記第１支持部に接続する第１ガイド部、及び、前記第１ガイド部から前記軸方向の前記他方側に向けて延び且つ前記軸方向と直交する直交方向の一方側に歯を備えた第１ラックギア部を有する第１ラックと、
前記第２支持部に接続する第２ガイド部、及び、前記第２ガイド部から前記軸方向の前記一方側に向けて延び、前記第１ラックギア部に対して前記直交方向の前記一方側に対向し、前記直交方向の他方側に歯を備えた第２ラックギア部を有する第２ラックと、
前記第１ラックギア部及び前記第２ラックギア部のそれぞれの歯と噛合するピニオンギアと、
前記第１ラック及び前記第２ラックを前記軸方向に移動可能に支持し、且つ、前記ピニオンギアを回転可能に支持する第３支持部と
を有し、
前記第３支持部は、
前記軸方向に延び、前記第１ガイド部の一部が係合し、前記第１ガイド部を前記軸方向に移動可能に支持する第１係合溝と、
前記軸方向に延び、前記第２ガイド部の一部が係合し、前記第２ガイド部を前記軸方向に移動可能に支持する第２係合溝と、
前記第１ラックが前記軸方向に移動する領域である第１領域に対して、前記直交方向の前記他方側に、前記第１領域との間に所定の第１隙間を空けて配置された第１リブと、
前記第１領域に対して前記直交方向の前記一方側に、前記第１領域との間に所定の第２隙間を空けて配置された第２リブと、
前記第２ラックが前記軸方向に移動する領域である第２領域に対して、前記直交方向の前記一方側に、前記第２領域との間に前記第１隙間を空けて配置された第３リブと、
前記第２領域に対して前記直交方向の前記他方側に、前記第２領域との間に前記第２隙間を空けて配置された第４リブと
を備え、
前記第２リブは、前記第１領域のうち前記直交方向の前記一方側の端部に沿って前記軸方向に延びる第１部分、及び、前記第１部分から前記直交方向の前記一方側に延びる第２部分を備え、
前記第４リブは、前記第２領域のうち前記直交方向の前記他方側の端部に沿って前記軸方向に延びる第３部分、及び、前記第３部分から、前記直交方向の前記他方側に延びる第４部分を備えたことを特徴とする印刷装置。
【請求項２】
前記第２隙間は、前記第１隙間よりも大きいことを特徴とする請求項１に記載の印刷装置。
【請求項３】
前記第２部分は、前記第１部分の前記軸方向の両端部から、前記直交方向の前記一方側に延び、
前記第４部分は、前記第３部分の前記軸方向の両端部から、前記直交方向の前記他方側に延びることを特徴とする請求項１又は２に記載の印刷装置。
【請求項４】
前記第１リブは、前記第１領域に対して前記直交方向の前記他方側全域に亘って設けられ、
前記第３リブは、前記第２領域に対して前記直交方向の前記一方側全域に亘って設けられたことを特徴とする請求項１から３の何れかに記載の印刷装置。
【請求項５】
前記第２リブは、前記第１領域に対して前記直交方向の前記一方側、且つ、前記軸方向の前記一方側に設けられ、
前記第４リブは、前記第２領域に対して前記直交方向の前記他方側、且つ、前記軸方向の前記他方側に設けられたことを特徴とする請求項１から４の何れかに記載の印刷装置。
【発明の詳細な説明】
【技術分野】
【０００１】
本発明は、印刷媒体が巻回されたロールを装着可能な印刷装置に関する。
【背景技術】
【０００２】
ラベル用紙等の印刷媒体が巻回されたロールを装着可能な印刷装置が知られている。特許文献１は、ロールを保持するための用紙ホルダを収容部内に備える印刷装置を開示する。用紙ホルダは、２つの第１支持部、２つのラックギア、ピニオンギア、及び、規制部を有する。２つの第１支持部は、ロールの軸方向の一方側及び他方側にそれぞれ配置され、軸方向に移動可能である。各ラックギアは、各第１支持部に設けられる。ピニオンギアは、２つのラックギアに噛合する。ラックギア及びピニオンギアは、２つの第１支持部を連動して移動させる。規制部は、収容部に設けられた櫛歯に凸部を噛合させることによって、２つの第１支持部の軸方向の移動を規制する。用紙ホルダは、ロールの幅方向の両側のそれぞれに各第１支持部が配置され、且つ、規制部によって２つの第１支持部の移動が規制された状態で、ロールを回転可能に支持する。
【先行技術文献】
【特許文献】
【０００３】
【特許文献１】特開２０１５−１６０４２４号公報
【発明の概要】
【発明が解決しようとする課題】
【０００４】
用紙ホルダによってロールが支持された状態で、印刷装置に衝撃が加わる場合がある。例えば、印刷装置が落下した場合が挙げられる。この場合、ロールの重みによって、ラックギアが破損する可能性があるという問題点がある。
【０００５】
本発明の目的は、衝撃が加わった場合にラックギアの破損を防止できる印刷装置を提供することである。
【課題を解決するための手段】
【０００６】
本発明に係る印刷装置は、印刷媒体が巻回された筒状のロールを、前記ロールの軸方向の一方側から支持する第１支持部と、前記ロールを前記軸方向の他方側から支持する第２支持部と、前記第１支持部と前記第２支持部との間隔を調節する調節機構とを有する印刷装置において、前記調節機構は、前記第１支持部に接続する第１ガイド部、及び、前記第１ガイド部から前記軸方向の前記他方側に向けて延び且つ前記軸方向と直交する直交方向の一方側に歯を備えた第１ラックギア部を有する第１ラックと、前記第２支持部に接続する第２ガイド部、及び、前記第２ガイド部から前記軸方向の前記一方側に向けて延び、前記第１ラックギア部に対して前記直交方向の前記一方側に対向し、前記直交方向の他方側に歯を備えた第２ラックギア部を有する第２ラックと、前記第１ラックギア部及び前記第２ラックギア部のそれぞれの歯と噛合するピニオンギアと、前記第１ラック及び前記第２ラックを前記軸方向に移動可能に支持し、且つ、前記ピニオンギアを回転可能に支持する第３支持部とを有し、前記第３支持部は、前記軸方向に延び、前記第１ガイド部の一部が係合し、前記第１ガイド部を前記軸方向に移動可能に支持する第１係合溝と、前記軸方向に延び、前記第２ガイド部の一部が係合し、前記第２ガイド部を前記軸方向に移動可能に支持する第２係合溝と、前記第１ラックが前記軸方向に移動する領域である第１領域に対して、前記直交方向の前記他方側に、前記第１領域との間に所定の第１隙間を空けて配置された第１リブと、前記第１領域に対して前記直交方向の前記一方側に、前記第１領域との間に所定の第２隙間を空けて配置された第２リブと、前記第２ラックが前記軸方向に移動する領域である第２領域に対して、前記直交方向の前記一方側に、前記第２領域との間に前記第１隙間を空けて配置された第３リブと、前記第２領域に対して前記直交方向の前記他方側に、前記第２領域との間に前記第２隙間を空けて配置された第４リブとを備え、前記第２リブは、前記第１領域のうち前記直交方向の前記一方側の端部に沿って前記軸方向に延びる第１部分、及び、前記第１部分から前記直交方向の前記一方側に延びる第２部分を備え、前記第４リブは、前記第２領域のうち前記直交方向の前記他方側の端部に沿って前記軸方向に延びる第３部分、及び、前記第３部分から、前記直交方向の前記他方側に延びる第４部分を備えたことを特徴とする。
【０００７】
印刷装置は、第１支持部と第２支持部との間にロールを挟んで支持し、ロールから繰り出される印刷媒体に印刷を行う。第１ラックギア部及び第２ラックギア部は、それぞれ、共通のピニオンギアに噛合する。このため、第１支持部及び第２支持部は、軸方向に連動して移動可能である。印刷装置は、第１〜第４リブを有する。第１リブ及び第２リブは、それぞれ、第１領域に対して直交方向の両側に配置され、第１ラックが直交方向に移動することを規制する。第３リブ及び第４リブは、それぞれ、第２領域に対して直交方向の両側に配置され、第２ラックが直交方向に移動することを規制する。従って、印刷装置に衝撃が加わった場合、第１ラック及び第２ラックの直交方向の移動は、第１〜第４リブによって抑制される。従って、印刷装置は、衝撃が加わった場合におけるロールの重みによって、第１ラック及び第２ラックが破損することを、第１〜第４リブによって抑制できる。
又、第２リブに対して直交方向の一方側に向かう力が作用したときの第２リブの強度を、第２部分によって向上させることができる。又、第４リブに対して直交方向の他方側に向かう力が作用したときの第４リブの強度を、第４部分によって向上させることができる。
【０００８】
本発明において、前記第２隙間は、前記第１隙間よりも大きくてもよい。印刷装置の製造過程において、第１ラックは、第１ラックギア部の歯がピニオンギアに噛合するように、ピニオンギアに対して直交方向の他方側から一方側に向けて移動され、組み付けられる。これに対し、印刷装置では、第１領域に対して直交方向の一方側に配置された第２リブと第１領域との間に形成される第２隙間は、第１領域に対して直交方向の他方側に配置された第１リブと第１領域との間に形成される第１隙間よりも大きく設定される。第２ラックについても同様である。この場合、組み付け過程における第１ラックの直交方向の一方側の端部の位置を、他方側の端部の位置よりも大きく変動させることが可能となる。又、第２ラックの直交方向の他方側の端部の位置を、一方側の端部の位置よりも大きく変動させることが可能となる。このため、第１ラック及び第２ラックの組み付け作業を容易化できる。
【０００９】
【００１０】
本発明において、前記第２部分は、前記第１部分の前記軸方向の両端部から、前記直交方向の前記一方側に延び、前記第４部分は、前記第３部分の前記軸方向の両端部から、前記直交方向の前記他方側に延びてもよい。この場合、第１部分及び第３部分の強度を、軸方向に亘って全体的に向上させることができる。
【００１１】
本発明において、前記第１リブは、前記第１領域に対して前記直交方向の前記他方側全域に亘って設けられ、前記第３リブは、前記第２領域に対して前記直交方向の前記一方側全域に亘って設けられてもよい。この場合、印刷装置は、第１ラック及び第２ラックの直交方向の移動を、軸方向の全域に亘って抑制できる。又、印刷装置は、第１ラック及び第２ラックの直交方向の移動を、第１ラック及び第２ラックの軸方向の位置に依らず抑制できる。
【００１２】
本発明において、前記第２リブは、前記第１領域に対して前記直交方向の前記一方側、且つ、前記軸方向の前記一方側に設けられ、前記第４リブは、前記第２領域に対して前記直交方向の前記他方側、且つ、前記軸方向の前記他方側に設けられてもよい。この場合、印刷装置は、第１ラック及び第２ラックが軸方向の外側に移動した状態で、第１ラック及び第２ラックの直交方向の移動を抑制できる。
【図面の簡単な説明】
【００１３】
【図１】印刷装置１（蓋部３を閉じた状態）の斜視図である。
【図２】印刷装置１（蓋部３を開いた状態）の斜視図である。
【図３】収容部２４内の用紙ホルダ１０及びロール４の斜視図である。
【図４】用紙ホルダ１０を後方から見た斜視図である。
【図５】用紙ホルダ１０の背面図である。
【図６】用紙ホルダ１０を前方から見た斜視図である。
【図７】櫛歯９５及び凸部７６１を拡大した斜視図である。
【図８】櫛歯９５及び凸部７６１を拡大した斜視図である。
【図９】用紙ホルダ１０の正面図である。
【図１０】用紙ホルダ１０の一部を拡大した正面図である。
【発明を実施するための形態】
【００１４】
以下、本発明の実施形態について、図面を参照して説明する。印刷装置１は、ＵＳＢ（登録商標）ケーブルを介して外部端末（図示略）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、それぞれ、印刷装置１の右側、左側、後側、前側、上側、及び下側と定義する。
【００１５】
＜印刷装置１の概要＞
図１、図２を参照し、印刷装置１の概要について説明する。印刷装置１は本体部２を備える。本体部２は、制御部（図示略）、印刷部２６Ｂ（図２参照）、駆動部（図示略）等を内部に備える。制御部は、印刷装置１全体を制御するＣＰＵを有する。印刷部２６Ｂは、感熱ラベルに印刷を行うことが可能なラインサーマルヘッドである。駆動部は、感熱ラベルを搬送するためのモータである。本体部２は、前方上側の傾斜部２Ａに表示部２１及びスイッチ２２を備える。本体部２は、傾斜部２Ａのうち表示部２１の後側に剥離機構２６Ｄを備える。本体部２は、剥離機構２６Ｄの後側に収容部２４（図２参照）を備える。本体部２は、右側に電源供給部１２、ＵＳＢ（登録商標）インタフェース（Ｉ／Ｆ）１３、レバー２３、収容部２５等を備える。
【００１６】
図２に示すように、収容部２４は、感熱ラベルが貼付された台紙が筒状の芯に巻回されたロール４（図３参照）を収容可能な空間を形成する。以下、台紙及び感熱ラベルを、「テープ」という。収容部２４の左右両側及び上側は開口する。収容部２４内に用紙ホルダ１０が固定されている。用紙ホルダ１０は、ロール４を保持するための部材である。収容部２４のうち前側の壁部の上端に切断部２６Ａが設けられ、切断部２６Ａの下側に印刷部２６Ｂが設けられている。切断部２６Ａは、テープのうち印刷された部分を切り離すことが可能な刃である。切断部２６Ａ及び印刷部２６Ｂは、左右方向に延びる。収容部２４の前側の壁部のうち左右両端部のそれぞれから後方に向けて、一対の係合部２４１がそれぞれ突出する。各係合部２４１は、下端を支軸として揺動可能である。各係合部２４１は、レバー２３が下方に押し下げられた場合、上端が後方に移動する向きに揺動する。
【００１７】
蓋部３は、収容部２４の後端に設けられた支軸２９に揺動可能に支持されている。蓋部３は、上側、右側、及び左側から収容部２４を覆う位置に揺動可能である。支軸２９に付勢部２９Ａが巻回されている。付勢部２９Ａはばねである。付勢部２９Ａは、蓋部３が収容部２４を覆った状態から、覆わない状態に向けて付勢する。以下、蓋部３が収容部２４を覆った状態（図１参照）を、蓋部３が閉じた状態といい、蓋部３が収容部２４を覆わない状態（図２参照）を、蓋部３が開いた状態という。
【００１８】
蓋部３は、支軸２９によって支持されている側と反対側の端部に、第１ローラ３２を回転可能に支持する。第１ローラ３２の回転軸は左右方向に延びている。第１ローラ３２の回転軸の左右端部から外側に向けて、一対の被係合部３２１が延びている。各被係合部３２１は円柱状である。左側の被係合部３２１の左側に、ギア３６が設けられている。各被係合部３２１は、蓋部３が閉じた状態で、対応する係合部２４１に係合する。この場合、蓋部３の閉じた状態から開いた状態に向かう揺動は、係合部２４１によって抑制され、閉じた状態が維持される。
【００１９】
蓋部３が閉じた状態で、印刷部２６Ｂと第１ローラ３２とは近接する。図１に示すように、蓋部３が閉じた状態で、剥離機構２６Ｄと第１ローラ３２との間に、テープが排出される排出口２６Ｃが形成される。蓋部３が閉じた状態で、ギア３６は、本体部２に設けられた本体ギア（図示略）に噛み合う。本体ギアは、本体部２の駆動部に連結し、回転可能である。蓋部３が閉じた状態で本体ギアが回転した場合、ギア３６及び第１ローラ３２は、本体ギアの回転に応じて回転する。蓋部３が閉じた状態でレバー２３が下方に押し下げられた場合、係合部２４１から被係合部３２１が外れる。蓋部３は、付勢部２９Ａの付勢力によって、閉じた状態から開いた状態に向けて揺動する。
【００２０】
電源供給部１２は、ＡＣアダプタのプラグを差し込むための端子である。ＵＳＢ（登録商標）  Ｉ／Ｆ１３は、ＵＳＢケーブルのコネクタを差し込むための複数の端子である。印刷装置１は、ＵＳＢ  Ｉ／Ｆ１３を介して外部端末と通信を行うことが可能である。なお、図１及び図２では、電源供給部１２及びＵＳＢ  Ｉ／Ｆ１３はゴム製の蓋で覆われている。収容部２５は、電池（図示略）を収容可能な空間を形成する。印刷装置１は、電源供給部１２から供給される電源、又は、収容部２５に収容された電池から供給される電源によって駆動可能である。又、印刷装置１は、電源供給部１２から供給される電源によって、収容部２５に収容された電池を充電することもできる。
【００２１】
感熱ラベルへの印刷が行われる場合の概要を説明する。用紙ホルダ１０にロール４が保持され、蓋部３が閉じられる。印刷部２６Ｂと第１ローラ３２との間に、ロール４から延びるテープが下方から上方に向けて挿通される。第１ローラ３２は所定の力で印刷部２６Ｂにテープを押し付ける。駆動部の動作に伴い第１ローラ３２が回転することによって、ロール４からテープが順次引き出され、下方から上方に向けて搬送される。同時に、印刷部２６Ｂの発熱素子が発熱する。これによって、感熱ラベルに文字や図形が印刷される。印刷後、テープは、台紙に感熱ラベルが貼付された状態で、排出口２６Ｃから外部に排出される。排出されたテープは、切断部２６Ａによって切断される。なお、印刷装置１は、剥離機構２６Ｄを用いることによって、印刷された感熱ラベルを台紙から剥離しながら、収容部２４から外部に排出させることもできる。
【００２２】
＜用紙ホルダ１０＞
図３から図６に示すように、用紙ホルダ１０は、固定部６１、６２、支持部７、規制部７６、及び、調節機構８を有する。固定部６１は、後述する調節機構８の第３支持部９の上端に接続し、上側に向けて延びる。固定部６２は、第３支持部９の下端に接続し、後側に向けて延びる。固定部６１、６２は、それぞれ、収容部２４に用紙ホルダ１０を固定する。より詳細には、次の通りである。図３に示すように、固定部６１には、螺子穴６１Ａ、６１Ｂが設けられている。固定部６１は、螺子穴６１Ａ、６１Ｂに挿通する螺子６１１、６１２によって、収容部２４の前側の壁部に用紙ホルダ１０を固定する。図４に示すように、固定部６２には、螺子穴６２Ａ、６２Ｂが設けられている。固定部６２は、螺子穴６２Ａ、６２Ｂに挿通する螺子６２１、６２２によって、収容部２４の下側の壁部に用紙ホルダ１０を固定する。以下、収容部２４に用紙ホルダ１０が固定された状態を例に挙げ、印刷装置１に対する方向（前側、後側、左側、右側、上側、及び下側）を用紙ホルダ１０にも適用する。
【００２３】
＜支持部７＞
図４に示すように、支持部７は、第１支持部７１及び第２支持部７２を有する。第１支持部７１及び第２支持部７２は、左右方向に対向する。第１支持部７１は、ロール４（図３参照）を左側から支持する。第２支持部７２は、ロール４を右側から支持する。ロール４が支持部７に支持された状態で、ロール４の軸に沿った方向（以下、「軸方向Ｘ」という。（図３参照））は左右方向を向く。第１支持部７１及び第２支持部７２は、左右方向に移動可能である。第１支持部７１と第２支持部７２との間の間隔は、ロール４の軸方向の長さ（以下、「ロール４の幅」という。）に応じて調整される。第１支持部７１及び第２支持部７２は、左右対称な形状を有する。以下では、第１支持部７１について詳細に説明し、第２支持部７２の説明は簡略化する。
【００２４】
第１支持部７１は、円形板状の側板部７１１を有する。側板部７１１の平面は左右方向を向く。側板部７１１は、左右方向に貫通する円形の開口部７１Ａを中心に備える。第１支持部７１は、側板部７１１の左側に揺動部７１２を有する。揺動部７１２は、本体部７１Ｂ、突出部７１Ｃ、及び、付勢部７１Ｄを備える。本体部７１Ｂは長方形の板状である。本体部７１Ｂは、延設部Ｅ１、Ｅ２、Ｅ３を有する。延設部Ｅ１は、側板部７１１の左側面の後方斜め下部分から前方斜め上方向に向けて側板部７１１と平行に延び、右側に屈曲して右方向に延びる。延設部Ｅ２は、延設部Ｅ１の右端から前方斜め上側に向けて側板部７１１と平行に延び、右側に屈曲して右方向に延びる。延設部Ｅ３は、延設部Ｅ２の右端から前方斜め上側に延びる。
【００２５】
延設部Ｅ１の後方斜め下側の端部は、軸（図示略）によって側板部７１１に揺動可能に支持されている。この軸は、後方斜め上側から前方斜め下側に向けて、側板部７１１の平面と平行な方向に延びる。延設部Ｅ１の後方斜め下側の端部に、付勢部７１Ｄが設けられている。付勢部７１Ｄは、一端部が側板部７１１に接続され、他端部が延設部Ｅ１に接続されたばねである。付勢部７１Ｄは、本体部７１Ｂの前方斜め上側の端部が左側から右側に向かう方向、即ち、本体部７１Ｂの延設部Ｅ１が側板部７１１から離隔した状態から近接した状態に向かう方向に、本体部７１Ｂを付勢する。本体部７１Ｂは、付勢部７１Ｄの付勢力によって、延設部Ｅ２が側板部７１１の左側面に接触する状態となるまで、前方斜め上側の端部を右側に移動させることができる。この状態で、延設部Ｅ１は開口部７１Ａの左側を通過し、延設部Ｅ３は、側板部７１１の周回部分の外側に突出する。
【００２６】
延設部Ｅ１は突出部７１Ｃを有する。突出部７１Ｃは、延設部Ｅ１の右側面から、延設部Ｅ１の平面と直交する向きに突出する。突出部７１Ｃの形状は円柱形である。突出部７１Ｃの直径は、開口部７１Ａの直径よりも小さい。突出部７１Ｃは、延設部Ｅ１が側板部７１１と平行に延びた状態で、側板部７１１の開口部７１Ａに左側から進入し、側板部７１１の右側面よりも右側に突出する（図５参照）。
【００２７】
第２支持部７２は、側板部７２１、及び、揺動部７２２を有する。側板部７２１は開口部７２Ａを中心に備える。揺動部７２２は、本体部７２Ｂ、突出部７２Ｃ、及び、付勢部（図示略）を備える。側板部７２１、揺動部７２２、開口部７２Ａ、本体部７２Ｂ、及び、突出部７２Ｃは、それぞれ、第１支持部７１の側板部７１１、揺動部７１２、開口部７１Ａ、本体部７１Ｂ、及び、突出部７１Ｃに対応する。
【００２８】
＜規制部７６＞
図４に示すように、規制部７６は、第１支持部７１の左面に設けられる。規制部７６は、移動部７６Ａ及び付勢部７６Ｂを有する。移動部７６Ａは、後方斜め上側から前方斜め下側に向けて延びる。移動部７６Ａは、第１支持部７１の左側面に設けられた覆部７１３によって移動可能に支持される。移動部７６Ａは、後方斜め上側から前方斜め下側に向かう方向、及び、その反対方向に移動可能である。移動部７６Ａは、下端に凸部７６１を有する。凸部７６１は、先端に向かうに従って、左右方向の長さが小さくなっている。図７、図８に示すように、凸部７６１は、覆部７１３から下方に突出する。
【００２９】
図４に示すように、付勢部７６Ｂは、覆部７１３の内部に設けられている。付勢部７６Ｂは、移動部７６Ａの延びる方向と同一方向に延びる圧縮ばねである。付勢部７６Ｂは、後方斜め上側から前方斜め下側に向かう方向の付勢力を、移動部７６Ａに作用させる。
【００３０】
＜調節機構８＞
図４、図６に示すように、調節機構８は、第１支持部７１及び第２支持部７２を左右方向に移動可能に支持する。調節機構８は、支持部７によって支持された状態のロール４（図３参照）に対して前側に配置される。図６に示すように、調節機構８は、ラック８Ａ、ピニオンギア８Ｂ、及び、第３支持部９を有する。
【００３１】
＜ラック８Ａ＞
ラック８Ａは、第１ラック８１、及び、第２ラック８２を有する。第１ラック８１及び第２ラック８２は、略同一形状を有する。第１ラック８１は、第１ガイド部８１Ａ、第１ラックギア部８１Ｂ、及び、バネ保持部８１Ｄを有する。第１ガイド部８１Ａは、正面視にて上下方向に長い矩形状を有する。第１ガイド部８１Ａの後面、且つ、上下方向の略中央よりも下側の部分は、後側に突出する。以下、この部分を「突出部８１Ｃ」という。突出部８１Ｃの後端は、螺子７１Ｅによって第１支持部７１の前側部分に接続する。第１ラックギア部８１Ｂは、第１ガイド部８１Ａの右面、且つ、上下方向の略中央よりも上側の部分から、右側に向けて直線状に延びる。第１ラックギア部８１Ｂの左右方向の長さは、用紙ホルダ１０の左右方向の長さの略半分である。第１ラックギア部８１Ｂは、下面に複数の歯を備える。
【００３２】
バネ保持部８１Ｄは、第１ラックギア部８１Ｂの上面、且つ、左右略中央から上側に向けて延びる。左右方向に延びる付勢部８Ｃの左端は、バネ保持部８１Ｄの上端に引掛けられる。付勢部８Ｃは引張ばねである。
【００３３】
第２ラック８２は、第２ガイド部８２Ａ、及び、第２ラックギア部８２Ｂを有する。第２ガイド部８２Ａは、正面視にて上下方向に長い矩形状を有する。第２ガイド部８２Ａの後面、且つ、上下方向の略中央よりも上側の部分は、後側に突出する。以下、この部分を「突出部８２Ｃ」という。突出部８２Ｃの後端は、螺子７２Ｅ（図５参照）によって第２支持部７２の前側部分に接続する。第２ラックギア部８２Ｂは、第２ガイド部８２Ａの左面、且つ、上下方向の略中央よりも下側の部分から、左側に向けて直線状に延びる。第２ラックギア部８２Ｂは、第１ラックギア部８１Ｂに対して下側に対向する。第２ラックギア部８２Ｂの左右方向の長さは、用紙ホルダ１０の左右方向の長さの略半分である。第２ラックギア部８２Ｂは、上面に複数の歯を備える。
【００３４】
＜ピニオンギア８Ｂ＞
ピニオンギア８Ｂは、円形の歯車である。ピニオンギア８Ｂは、第１ラックギア部８１Ｂよりも下側、且つ、第２ラックギア部８２Ｂよりも上側において、後述する第３支持部９に回転可能に支持される。ピニオンギア８Ｂの回転軸は、前後方向に沿って延びる。
【００３５】
＜第３支持部９＞
第３支持部９は、固定部６１の下端と固定部６２の前端との間に亘って延びる。第３支持部９は、略板状である。第３支持部９は、第１ラック８１及び第２ラック８２を左右方向に移動可能に支持し、且つ、ピニオンギア８Ｂを回転可能に支持する。第３支持部９は、第１係合溝９１、第２係合溝９２、支持部９３、バネ保持部９４、櫛歯９５（図５参照）、及び、リブ５を有する。
【００３６】
図５及び図６に示すように、第１係合溝９１及び第２係合溝９２は、左右方向に長い長方形状の溝である。第１係合溝９１及び第２係合溝９２は、左右方向に直線状に並ぶ。第１係合溝９１は、第２係合溝９２に対して左側に配置される。支持部９３は、第１係合溝９１及び第２係合溝９２を左右方向の略中央で隔てる。
【００３７】
第１係合溝９１は、第３支持部９の左端から右側に向けて延びる。第１係合溝９１には、第１ガイド部８１Ａの突出部８１Ｃが係合する。第１係合溝９１は、第１ガイド部８１Ａを左右方向に移動可能に支持する。このため、第１ガイド部８１Ａは、第３支持部９の左右略中央から左端までの間を、左右方向に移動可能となる。第１ガイド部８１Ａのうち突出部８１Ｃを除く部分、及び、第１ラックギア部８１Ｂは、第３支持部９に対して前側に配置される。第１ラックギア部８１Ｂは、第１係合溝９１に対して上側に配置される。第１支持部７１は、第３支持部９に対して後側に配置される。
【００３８】
第２係合溝９２は、第３支持部９の右端から左側に向けて延びる。第２係合溝９２には、第２ガイド部８２Ａの突出部８２Ｃが係合する。第２係合溝９２は、第２ガイド部８２Ａを左右方向に移動可能に支持する。このため、第２ガイド部８２Ａは、第３支持部９の左右略中央から右端までの間を、左右方向に移動可能となる。第２ガイド部８２Ａのうち突出部８２Ｃを除く部分、及び、第２ラックギア部８２Ｂは、第３支持部９に対して前側に配置される。第２ラックギア部８２Ｂは、第２係合溝９２に対して下側に配置される。第２支持部７２は、第３支持部９に対して後側に配置される。
【００３９】
支持部９３は、前面でピニオンギア８Ｂを回転可能に支持する。ピニオンギア８Ｂは、歯車の上端部分において第１ラックギア部８１Ｂの歯に噛合し、歯車の下端部分において第２ラックギア部８２Ｂの歯に噛合する。第１ラックギア部８１Ｂ、第２ラックギア部８２Ｂ、及び、ピニオンギア８Ｂは、第１ガイド部８１Ａ、及び、第２ガイド部８２Ａを連動して左右方向に移動させる。これに伴い、突出部８１Ｃを介して第１ガイド部８１Ａと接続する第１支持部７１、及び、突出部８２Ｃを介して第２ガイド部８２Ａと接続する第２支持部７２も、左右方向に連動して移動する。
【００４０】
例えば、第１支持部７１が左方向に所定量移動した場合、第１ラックギア部８１Ｂ、ピニオンギア８Ｂ、及び、第２ラックギア部８２Ｂは、第２支持部７２を右方向に所定量移動させる。つまり、第１ラックギア部８１Ｂ、第２ラックギア部８２Ｂ、及び、ピニオンギア８Ｂは、第１支持部７１及び第２支持部７２を、互いに遠ざかる方向（左右外方向）に移動させる。なお、第１支持部７１及び第１ラック８１の左方向への移動は、蓋部３のうち収容部２４の左側を覆う部分（図２参照）に第１支持部７１が接触することによって規制される。同様に、第２支持部７２及び第２ラック８２の右方向への移動は、蓋部３のうち収容部２４の右側を覆う部分（図２参照）に第２支持部７２が接触することによって規制される。図５、図６、図９は、第１支持部７１及び第２支持部７２の左右外方向への移動が蓋部３によって規制された状態を示している。
【００４１】
一方、第１支持部７１が右方向に所定量移動した場合、第１ラックギア部８１Ｂ、ピニオンギア８Ｂ、及び、第２ラックギア部８２Ｂは、第２支持部７２を左方向に所定量移動させる。つまり、第１ラックギア部８１Ｂ、第２ラックギア部８２Ｂ、及び、ピニオンギア８Ｂは、第１支持部７１及び第２支持部７２を、互いに近づく方向（左右内方向）に移動させる。なお、第１支持部７１及び第１ラック８１の右方向への移動は、第１ガイド部８１Ａの右端が支持部９３の左端に接触することによって規制される。同様に、第２支持部７２及び第２ラック８２の左方向への移動は、第２ガイド部８２Ａの左端が支持部９３の右端に接触することによって規制される。以下、図９に示すように、第１ガイド部８１Ａ及び第２ガイド部８２Ａが連動して移動することに応じて第１ラック８１が左右方向に移動可能な領域を、「第１領域Ｓ１」といい、第２ラック８２が左右方向に移動可能な領域を、「第２領域Ｓ２」という。なお、図９，図１０において、「第１領域Ｓ１」、「第２領域Ｓ２」の外形は、それぞれ二点鎖線で示している。ここで、二点鎖線の位置は、本来、第１ラック８１及び第２ラック８２の外形線（実線）の一部と重複するが、位置を分かり易くするため、第１ラック８１及び第２ラック８２の外形線（実線）から僅かにずらして図示している。
【００４２】
バネ保持部９４は、第３支持部９の前面、且つ、第２係合溝９２の上側の部分から、前側に向けて延びる。付勢部８Ｃの右端は、バネ保持部９４に引掛けられる。付勢部８Ｃは、第１ラック８１に右方向の付勢力を作用させる。即ち、付勢部８Ｃは、第１支持部７１及び第２支持部７２が互いに近づく向きに、第１ラック８１の第１ガイド部８１Ａに接続した第１支持部７１を付勢する。
【００４３】
図５に示すように、第３支持部９の後面、且つ、第１係合溝９１の上側に、櫛歯９５が設けられている。櫛歯９５は、左右方向に一定間隔で並んだ複数の凹凸を有する。図７、図８に示すように、櫛歯９５は、規制部７６の移動部７６Ａに対して、前方斜め下側に配置する。移動部７６Ａが付勢部７６Ｂ（図４参照）の付勢力によって前方斜め下側に移動した場合、図７に示すように、凸部７６１は櫛歯９５の複数の凹凸の何れかに噛み合う。この場合、移動部７６Ａの左右方向の移動は規制される。一方、移動部７６Ａが付勢部７６Ｂの付勢力に逆らって後方斜め上側に移動した場合、図８に示すように、凸部７６１は櫛歯９５の複数の凹凸から外れる。この場合、移動部７６Ａは左右方向に移動可能となる。
【００４４】
＜リブ５＞
図９に示すように、第３支持部９の前面に、第１リブ５１、第２リブ５２、第３リブ５３、及び、第４リブ５４（総称して「リブ５」という。）が設けられる。リブ５は、第３支持部９の前面から前側に向けて突出する（図６参照）。リブ５は板状である。第１リブ５１及び第３リブ５３の形状は同一である。第２リブ５２及び第４リブ５４の形状は同一である。
【００４５】
第１リブ５１は、第３支持部９のうち、第１係合溝９１、第２係合溝９２、及び、支持部９３の上側に設けられる。第１リブ５１は、第１領域Ｓ１の上側全域に亘って左右方向に直線状に延びる。より詳細には、次の通りである。第１リブ５１の左端の位置は、第１領域Ｓ１の左端の位置、言い換えれば、第１ラック８１が最も左側に移動した場合における第１ガイド部８１Ａの左端の位置と略一致する。第１リブ５１の右端の位置は、第１領域Ｓ１の右端の位置、言い換えれば、第１ラック８１が最も右側に移動した場合における第１ラックギア部８１Ｂの右端の位置よりも、右側に配置される。図１０に示すように、第１リブ５１は、第１領域Ｓ１との間に所定長さ分の隙間（以下、「第１隙間Ｌ１」という。）を空けて配置される。第１隙間Ｌ１の長さは、例えば０．２ｍｍである。
【００４６】
図９に示すように、第３リブ５３は、第３支持部９のうち第１係合溝９１、第２係合溝９２、及び、支持部９３の下側に設けられる。第３リブ５３は、第２領域Ｓ２に対して下側全域に亘って左右方向に直線状に延びる。より詳細には、次の通りである。第３リブ５３の右端の位置は、第２領域Ｓ２の右端の位置、言い換えれば、第２ラック８２が最も右側に移動した場合における第２ガイド部８２Ａの右端の位置と略一致する。第３リブ５３の左端の位置は、第２領域Ｓ２の左端の位置、言い換えれば、第２ラック８２が最も左側に移動した場合における第２ラックギア部８２Ｂの左端の位置よりも、左側に配置される。図示されていないが、第２リブ５２は、第２領域Ｓ２との間に第１隙間Ｌ１を空けて配置される。
【００４７】
第２リブ５２は、第３支持部９のうち、第１係合溝９１の左端部近傍の下側、且つ、第３リブ５３の左端部近傍の上側に設けられる。第２リブ５２は、第１部分５２Ａ、及び、第２部分５２Ｂ、５２Ｃを有する。第１部分５２Ａは、第１領域Ｓ１の下側且つ左端部近傍を、第１領域Ｓ１の下端部に沿って左右方向に直線状に延びる。より詳細には、第１部分５２Ａは、第１ラック８１が最も左側に移動した場合における第１ガイド部８１Ａの下側部分を、左右方向に延びる。第１ガイド部８１Ａと第１部分５２Ａとのそれぞれの左右方向の長さは、略同一である。図１０に示すように、第１部分５２Ａは、第１領域Ｓ１との間に所定長さ分の隙間（以下、「第２隙間Ｌ２」という。）を空けて配置される。第２隙間Ｌ２の長さは、例えば０．５ｍｍである。第２隙間Ｌ２は、第１隙間Ｌ１よりも大きい。
【００４８】
第２部分５２Ｂは、第１部分５２Ａの左端部から下側に向けて延びる。第２部分５２Ｃは、第１部分５２Ａの右端部から下側に向けて延びる。第２部分５２Ｃは、第２領域Ｓ２の左側、より詳細には、第２ラック８２が最も左側に移動した場合における第２ラックギア部８２Ｂの左側に配置される。第２部分５２Ｂ、５２Ｃの上下方向の長さは等しい。第２部分５２Ｂ、５２Ｃの上下方向の長さは、第１部分５２Ａの左右方向の長さよりも短い。
【００４９】
第４リブ５４は、第３支持部９のうち、第２係合溝９２の右端部近傍の上側、且つ、第１リブ５１の右端部近傍の下側に設けられる。第４リブ５４は、第３部分５４Ａ、及び、第４部分５４Ｂ、５４Ｃを有する。第３部分５４Ａは、第２領域Ｓ２の上側且つ右端部近傍を、第２領域Ｓ２の上端部に沿って左右方向に直線状に延びる。より詳細には、第３部分５４Ａは、第２ラック８２が最も右側に移動した場合における第２ガイド部８２Ａの上側部分を、左右方向に延びる。第２ガイド部８２Ａと第３部分５４Ａとのそれぞれの左右方向の長さは、略同一である。図示されていないが、第３部分５４Ａは、第２領域Ｓ２との間に第２隙間Ｌ２を空けて配置される。 
【００５０】
第４部分５４Ｂは、第３部分５４Ａの右端部から上側に向けて延びる。第４部分５４Ｃは、第３部分５４Ａの左端部から上側に向けて延びる。第４部分５４Ｃは、第１領域Ｓ１の右側、より詳細には、第１ラック８１が最も右側に移動した場合における第１ラックギア部８１Ｂの右側に配置される。第４部分５４Ｂ、５４Ｃの上下方向の長さは等しい。第４部分５４Ｂ、５４Ｃの上下方向の長さは、第３部分５４Ａの左右方向の長さよりも短い。
【００５１】
＜ロール４の着脱手順＞
印刷装置１に対してロール４を装着する場合の手順について説明する。図８に示すように、ユーザは、規制部７６の移動部７６Ａを、付勢部７６Ｂ（図４参照）の付勢力に逆らって後方斜め上側に移動させ、この状態を維持する。凸部７６１は櫛歯９５から外れ、第１支持部７１及び第２支持部７２は左右方向に移動可能となる。図４等に示すように、ユーザは、第１支持部７１及び第２支持部７２が互いに遠ざかる向きに移動させる。ユーザは、第１支持部７１及び第２支持部７２の間にロール４（図３参照）を置く。ユーザは、第１支持部７１の側板部７１１、及び、第２支持部７２の側板部７２１の間の長さがロール４の幅と同じ長さとなるように、第１支持部７１及び第２支持部７２を左右内側方向に移動させる。なお、第１支持部７１及び第２支持部７２は、付勢部８Ｃによって左右内方向に付勢されている。このため、第１支持部７１及び第２支持部７２はロール４の両側に密着し、互いの間に隙間は形成され難い。
【００５２】
その後、ユーザは移動部７６Ａを離す。図７に示すように、移動部７６Ａは、付勢部７６Ｂの付勢力によって前方斜め下側に移動し、凸部７６１は櫛歯９５の複数の凹凸のうち何れかに噛み合う。これによって、第１支持部７１及び第２支持部７２の左右方向の移動は規制される。図５に示すように、揺動部７１２の突出部７１Ｃ、及び、揺動部７２２の突出部７２Ｃは、ロール４の芯の内部に挿通し、芯を両端部から支持する。第１支持部７１の側板部７１１、及び、第２支持部７２の側板部７２１は、ロール４を左右両側から支持する。以上によって、ロール４に巻回された感熱ラベルへの印刷が可能な状態になる。
【００５３】
＜本実施形態の主たる作用、効果＞
第１ラックギア部８１Ｂ及び第２ラックギア部８２Ｂは、それぞれ、ピニオンギア８Ｂに噛合する。このため、第１支持部７１及び第２支持部７２は、左右方向に連動して移動可能である。ここで、印刷装置１は、落下時等において衝撃が加わった場合、規制部７６の移動部７６Ａの凸部７６１が櫛歯９５から外れる場合がある。この場合、第１支持部７１及び第２支持部７２は、ロール４の重みによって左右外方向に移動する。又、例えば、衝撃に応じてロール４の重みが左方向（矢印Ｐの方向）に作用した場合、図１０に示すように、前側（図１０の手前側）から見たときに時計回り方向（矢印Ｙの方向）となる力が、第１支持部７１を介して第１ラック８１に作用する。ここで、この力に応じて第１ラック８１が回転した場合、第１ラックギア部８１Ｂに力が作用して破損する可能性がある。なお、衝撃に応じてロール４の重みが右方向に作用した場合も同様、第２ラックギア部８２Ｂに力が作用して破損する可能性がある。これらの理由は、第１ラックギア部８１Ｂ及び第２ラックギア部８２Ｂには歯が設けられており、歯底の部分で厚さ（上下方向の幅）が小さいので、この部分の強度が相対的に小さいためである。
【００５４】
これに対し、印刷装置１では、リブ５（第１リブ５１〜第４リブ５４）が設けられる。第１リブ５１及び第２リブ５２は、それぞれ、第１領域Ｓ１に対して上下方向の両側に配置され、第１ラック８１が上下方向に移動することを規制する。第３リブ５３及び第４リブ５４は、それぞれ、第２領域Ｓ２に対して上下方向の両側に配置され、第２ラック８２が上下方向に移動することを規制する。
【００５５】
従って、印刷装置１に衝撃が加わった場合、第１ラック８１及び第２ラック８２の回転は、第１リブ５１〜第４リブ５４によって抑制される。従って、印刷装置１は、衝撃が加わった場合におけるロール４の重みによって、第１ラック８１及び第２ラック８２が破損することを、第１リブ５１〜第４リブ５４によって抑制できる。
【００５６】
印刷装置１において、第１領域Ｓ１と第１リブ５１との間、及び、第２領域Ｓ２と第３リブ５３との間に、第１隙間Ｌ１が設けられる。第１領域Ｓ１と第２リブ５２との間、及び、第２領域Ｓ２と第４リブ５４との間に、第２隙間Ｌ２が設けられる。このため、印刷装置１の製造過程において、第１ラック８１及び第２ラック８２の寸法が製造誤差の影響でばらついた場合でも、第３支持部９に対する第１ラック８１及び第２ラック８２の組み付け作業を適切に実行できる。
【００５７】
印刷装置１の製造過程において、第１ラック８１は、第１ラックギア部８１Ｂの歯がピニオンギア８Ｂに噛合するように、ピニオンギア８Ｂに対して上側から下側に向けて移動され、組み付けられる。又、第２ラック８２は、第２ラックギア部８２Ｂの歯がピニオンギア８Ｂに噛合するように、ピニオンギア８Ｂに対して下側から上側に向けて移動され、組み付けられる。これに対し、第２リブ５２と第１領域Ｓ１との間、及び、第４リブ５４と第２領域Ｓ２との間に形成される第２隙間Ｌ２は、第１リブ５１と第１領域Ｓ１との間、及び、第３リブ５３と第２領域Ｓ２との間に形成される第１隙間Ｌ１よりも大きく設定される。これらの場合、組み付け過程における第１ラック８１の下側の端部の位置を、上側の端部の位置よりも大きく変動させることが可能となる。又、第２ラック８２の上側の端部の位置を、下側の端部の位置よりも大きく変動させることが可能となる。従って、第１ラック８１及び第２ラック８２の組み付け作業を容易化できる。
【００５８】
第２リブ５２は、第１部分５２Ａ、及び、第２部分５２Ｂ、５２Ｃを有する。第１部分５２Ａは、第１領域Ｓ１の下側且つ左端部近傍を、第１領域Ｓ１の下端部に沿って左右方向に直線状に延びる。第２部分５２Ｂは、第１部分５２Ａの左端部から下側に向けて延びる。第２部分５２Ｃは、第１部分５２Ａの右端部から下側に向けて延びる。この場合、第２リブ５２に対して下側に向かう力が作用したときの第２リブ５２の強度を、第２部分５２Ｂ、５２Ｃによって向上させることができる。又、第２部分５２Ｂ、５２Ｃが第１部分５２Ａの両端に設けられるので、第１部分５２Ａの強度を、左右方向に亘って全体的に向上させることができる。従って、印刷装置１に衝撃が加わることによって第１ラック８１が回転することを、第２リブ５２によって適切に抑制できる。
【００５９】
第４リブ５４は、第３部分５４Ａ、及び、第４部分５４Ｂ、５４Ｃを有する。第３部分５４Ａは、第２領域Ｓ２の上側且つ右端部近傍を、第２領域Ｓ２の上端部に沿って左右方向に直線状に延びる。第４部分５４Ｂは、第３部分５４Ａの右端部から上側に向けて延びる。第４部分５４Ｃは、第３部分５４Ａの左端部から上側に向けて延びる。この場合、第４リブ５４に対して上側に向かう力が作用したときの第４リブ５４の強度を、第４部分５４Ｂ、５４Ｃによって向上させることができる。又、第４部分５４Ｂ、５４Ｃが第３部分５４Ａの両端に設けられるので、第３部分５４Ａの強度を、左右方向に亘って全体的に向上させることができる。従って、印刷装置１に衝撃が加わることによって第２ラック８２が回転することを、第４リブ５４によって適切に抑制できる。
【００６０】
第１リブ５１は、第１領域Ｓ１の上側全域に亘って左右方向に直線状に延びる。第３リブ５３は、第２領域Ｓ２に対して下側全域に亘って左右方向に直線状に延びる。この場合、印刷装置１は、第１ラック８１及び第２ラック８２の回転を、左右方向の全域に亘って抑制できる。又、印刷装置１は、第１ラック８１及び第２ラック８２の回転を、第１ラック８１及び第２ラック８２の軸方向の位置に依らず抑制できる。
【００６１】
印刷装置１に衝撃が作用した場合、第１ラック８１及び第２ラック８２は、はじめに左右外方向に最大限移動し、その後、ロール４の重みによる力が第１ラック８１及び第２ラック８２を回転させようとする（図１０参照）。これに対し、第２リブ５２の第１部分５２Ａは、第１ラック８１が最も左側に移動した場合における第１ガイド部８１Ａの下側部分を、左右方向に延びる。第４リブ５４の第３部分５４Ａは、第２ラック８２が最も右側に移動した場合における第２ガイド部８２Ａの上側部分を、左右方向に延びる。このため、第２リブ５２及び第４リブ５４は、第１ラック８１及び第２ラック８２が左右外方向に最大限移動した状態で回転することを抑制できる。又、第２ラック８２の左側への移動を第２リブ５２が妨げてしまうことを抑制できる。第１ラック８１の右側への移動を第４リブ５４が妨げてしまうことを抑制できる。
【００６２】
＜変形例＞
本発明は、上記実施形態に限定されず、種々の変更が可能である。第１隙間Ｌ１及び第２隙間Ｌ２は、上記実施形態における具体的な値に限定されない。第１隙間Ｌ１は、第２隙間Ｌ２よりも大きくてもよいし、第１隙間Ｌ１と第２隙間Ｌ２とは略同一であってもよい。
【００６３】
第２リブ５２は、左右方向に延びる第１部分５２Ａ、及び、第１部分５２Ａの左右両端部から下側に向けて延びる第２部分５２Ｂ、５２Ｃを有していた。第４リブ５４は、左右方向に延びる第３部分５４Ａ、及び、第３部分５４Ａの左右両端部から上側に向けて延びる第４部分５４Ｂ、５４Ｃを有していた。これに対し、第２リブ５２は、第１部分５２Ａ、及び、第１部分５２Ａの左右略中央から下側に向けて延びる１つの第２部分を有していてもよい。又は、第２リブ５２は、第１部分５２Ａのみ有していてもよい。同様に、第４リブ５４は、第３部分５４Ａ、及び、第３部分５４Ａの左右略中央から上側に向けて延びる１つの第４部分を有していてもよい。又は、第４リブ５４は、第３部分５４Ａのみ有していてもよい。
【００６４】
第２リブ５２は、第１係合溝９１の下側全域に亘って設けられてもよい。同様に、第４リブ５４は、第２係合溝９２の上側全域に亘って設けられてもよい。
【００６５】
第１リブ５１は、第１領域Ｓ１の上側のうち左側半分の領域に設けられてもよい。この場合、第１領域Ｓ１の上側のうち右側半分の領域に第１リブ５１は設けられなくてもよい。同様に、第３リブ５３は、第２領域Ｓ２の下側のうち右側半分の領域に設けられてもよい。この場合、第２領域Ｓ２の下側のうち左側半分の領域に第３リブ５３は設けられなくてもよい。第１リブ５１に、上側に向けて延びる別のリブが少なくとも１つ接続されてもよい。第３リブ５３に、下側に向けて延びる別のリブが少なくとも１つ接続されてもよい。
【００６６】
＜その他＞
左右方向は、本発明の「軸方向」の一例である。左側は、本発明の「軸方向の一方側」の一例である。右側は、本発明の「軸方向の他方側」の一例である。上下方向は、本発明の「直交方向」の一例である。下側は、本発明の「直交方向の一方側」の一例である。上側は、本発明の「直交方向の他方側」の一例である。
【符号の説明】
【００６７】
１        ：印刷装置
４        ：ロール
５１      ：第１リブ
５２      ：第２リブ
５３      ：第３リブ
５４      ：第４リブ
８Ｂ      ：ピニオンギア
８１      ：第１ラック
８１Ａ    ：第１ガイド部
８１Ｂ    ：第１ラックギア部
８２      ：第２ラック
８２Ａ    ：第２ガイド部
８２Ｂ    ：第２ラックギア部
９１      ：第１係合溝
９２      ：第２係合溝
Ｌ１      ：第１隙間
Ｌ２      ：第２隙間
Ｓ１      ：第１領域
Ｓ２      ：第２領域
【図１】
0006701970.tif 000002
【図２】
0006701970.tif 000003
【図３】
0006701970.tif 000004
【図４】
0006701970.tif 000005
【図５】
0006701970.tif 000006
【図６】
0006701970.tif 000007
【図７】
0006701970.tif 000008
【図８】
0006701970.tif 000009
【図９】
0006701970.tif 000010
【図１０】
0006701970.tif 000011